(57)【特許請求の範囲】
【請求項１】
マスク本体の後面に装着されるマスク補助具であって、
前記マスク本体と顔面との間に配置され、該顔面に接するシート材と、
前記シート材の内側であって、前記シート材の前面に配置されるスポンジ材と、を備え、
前記シート材には、少なくとも鼻孔部から吐出された呼気を通す開口部が設けられており、
前記スポンジ材は、前記開口部における周縁部の少なくとも上縁部に沿って設けられており、
マスク着用時において、前記スポンジ材を前記鼻孔部よりも下側に位置付けることを可能に構成されおり、
マスク着用時において、前記スポンジ材の前後方向における厚みによって、前記シート材と前記マスク本体との間に、前記開口部を介して吐出された前記呼気を前方へ通す通気路が形成されており、
マスク着用時において、前記鼻孔部から吐出される前記呼気は、前記シート材に案内されて下方に流れ、前記開口部を介して前記通気路へ吐出される、マスク補助具。
【請求項２】
請求項１において、
前記スポンジ材は、前記周縁部の全周に沿って設けられている、マスク補助具。
【請求項３】
請求項１又は２において、
前記スポンジ材の前後方向における厚みは、３ｍｍ以上である、マスク補助具。
【発明の詳細な説明】
【技術分野】
【０００１】
本発明は、マスク補助具に関する。
【背景技術】
【０００２】
眼鏡の曇り止め機能を有するマスクが知られている。例えば特許文献１に開示のマスクは、人の口や鼻を覆うマスクであって、通気性のある表布と、表布の裏側に設けられた裏布と、表布及び裏布の両側に設けられた取付紐と、から構成されている。表布と裏布とは、上下端と両側端において相互に結合されている。裏布の中央における口や鼻の近傍には、呼気を通す開口部が設けられている。また、裏布の通気性は、表布の通気性よりも小さい。
【０００３】
かかる構成によれば、通気性の小さな裏布が顔面に接することによって、呼気が上方へ抜けることを防いで、メガネの曇りを抑制することができる。
【先行技術文献】
【特許文献】
【０００４】
【特許文献１】特開２０１７−６１７６３号公報
【発明の概要】
【発明が解決しようとする課題】
【０００５】
しかし、上記特許文献１に係るマスクを用いた場合であっても、口や鼻から吐出された呼気の一部は、依然、裏布と顔面との僅かな隙間を通って上方へ抜けて、眼鏡を曇らせてしまう。すなわち、上記特許文献１に係るマスクにおいて、眼鏡の曇り止め効果は、十分とは言い難く、改良の余地がある。
【０００６】
本発明は斯かる点に鑑みてなされたものであり、その主な目的とするところは、マスク着用時における呼気による眼鏡の曇りをさらに抑制することにある。
【課題を解決するための手段】
【０００７】
本発明に係るマスク補助具は、マスク本体の後面に装着されるマスク補助具であって、上記マスク本体と顔面との間に配置され、上記顔面に接するシート材と、上記シート材と上記マスク本体との間に配置されるスポンジ材と、を備え、上記シート材には、少なくとも鼻孔部から吐出された呼気を通す開口部が設けられており、上記スポンジ材は、上記開口部における周縁部の少なくとも上縁部に沿って設けられており、マスク着用時において、上記スポンジ材の前後方向における厚みによって、上記シート材と上記マスク本体との間に、上記開口部を介して吐出された上記呼気を前方へ通す通気路が形成される。
【発明の効果】
【０００８】
本発明によれば、マスク着用時における呼気による眼鏡の曇りをさらに抑制することができる。
【図面の簡単な説明】
【０００９】
【図１】図１は、本発明の一実施形態に係るマスク補助具を前側から見た正面図である。
【図２】図２は、マスク補助具のＩＩ−ＩＩ線における側面断面図である。
【図３】図３は、マスク補助具のＩＩＩ−ＩＩＩ線における上面断面図である。
【図４】図４は、マスク補助具をマスク本体に対して下側にずらして装着する場合の図２相当図である。
【図５】図５は、その他の実施形態に係る図１相当図である。
【図６】図６は、比較例に係る図２相当図である。
【発明を実施するための形態】
【００１０】
以下、本発明の実施形態を図面に基づいて詳細に説明する。以下の好ましい実施形態の説明は、本質的に例示に過ぎず、本発明、その適用物あるいはその用途を制限することを意図するものでは全くない。なお、以下の説明において、マスク補助具における顔面に臨む側を後側、マスク補助具における顔面に臨む側とは反対側を前側という。
【００１１】
本実施形態に係るマスク補助具は、マスク着用時における眼鏡の曇りを抑制するために、用いられる。図１〜３に示すように、マスク補助具２０は、例えば市販されている家庭用の使い捨てマスク１０における本体部１１（以下、「マスク本体１１」という）の後面１２に、装着される。
【００１２】
図１に示すように、マスク本体１１の左右両端には、耳紐１３が設けられている。マスク本体１１の中央上部には、ノーズフィット１４が設けられている。マスク本体１１は、例えば不織布や織布等で形成されている。
【００１３】
図２に示すように、マスク補助具２０は、シート材３０を備える。シート材３０は、マスク本体１１と顔面１との間に配置され、顔面１に接する。ここで、シート材３０の後面３２と顔面１とは互いに接するものの、両者は完全に密着するのではなく、シート材３０の後面３２と顔面１との間には僅かな隙間（図示せず）が形成される。
【００１４】
シート材３０は、例えばユポ（登録商標）等の合成紙、樹脂シート、紙や不織布の片面に樹脂シートを貼り合わせてなる合わせ材、等で形成されることが好ましい。シート材３０の通気性は、極力小さい方が好ましく、ほとんど無いことがより好ましい。本実施形態では、シート材３０の通気性は、マスク本体１１の通気性よりも低い。通気性の評価法として、公知の種々の方法を用いることができる。
【００１５】
図１に示すように、シート材３０は、顔面１の形状に追従しやすくなるように、左右両端部各々において左右方向に延び且つ上下方向に並ぶ複数の切込線３３と、左右方向中央において上下方向に延びるミシン目線３４と、が設けられている。また、シート材３０は、鼻部３（図２参照）の形状に追従しやすくなるように、中央上部においてＶ字状に延びるミシン目線３５が設けられている。
【００１６】
シート材３０の上縁部３６は、左右方向中央に頂点（上端部）３６ａを有する略山形状に形成されている。シート材３０の上端部３６ａは、例えば、マスク本体１１におけるノーズフィット１４の上端部に相当する位置に位置付けられてもよく、そこよりも下側又は上側に位置付けられてもよい。
【００１７】
シート材３０の前面３１の上部には、接着材３７が設けられている。接着材３７は、シート材３０の前面３１をマスク本体１１の後面１２に接着するものであり、例えば両面テープで構成されている。接着材３７は、例えば、図１に示すように、左右方向に延びており、その一部がＶ字状に延びるミシン目線３５を跨っている。
【００１８】
図１に示すように、シート材３０の中央部には、開口部５０が設けられている。開口部５０は、シート材３０を厚み方向（前後方向）に貫通しており、少なくとも鼻孔部（外鼻孔）３ａから吐出された呼気Ｅを通す。本実施形態では、開口部５０は、口部２及び鼻孔部３ａから吐出された呼気Ｅを通す。なお、図１において、マスク１０の着用時における口部２及び鼻孔部３ａを、二点鎖線で示す。
【００１９】
図１に示すように、開口部５０は、中央に位置する主開口部５１と主開口部５１の左右両側に位置する２つの副開口部５４とを含み、全体として、左右方向を長手、上下方向を短手とした略長方形状に形成されている。主開口部５１は、略円形状に形成されている。各副開口部５４は、上下方向に長手の略楕円形状に形成されている。主開口部５１と各副開口部５４とは、シート材３０の一部である仕切部３８によって区画されている。
【００２０】
主開口部５１は、シート材３０の一部である鼻下対面部３９によって上下方向に区画された上側主開口部５２と下側主開口部５３とを含む。鼻下対面部３９は、主開口部５１の中間部を左右方向に延びている。鼻下対面部３９は、マスク１０の着用時において、口部２と鼻孔部３ａとの間の鼻下部４（図２参照）に面する。
【００２１】
図１に示すように、開口部５０、具体的には下側主開口部５３は、マスク１０の着用時において、口部２に臨む位置に設けられている。また、開口部５０、具体的には上側主開口部５２は、マスク１０の着用時において、鼻孔部３ａに臨む位置に設けられている。ここで、鼻孔部３ａは下斜め前方に向いているので、鼻孔部３ａがたとえ開口部５０よりも多少上側に位置したとしても、鼻孔部３ａは開口部５０に臨む。
【００２２】
シート材３０は、マスク１０の着用時において、鼻孔部３ａより上側から口部２より下側に亘るように、形成されることが好ましい。
【００２３】
図１〜３に示すように、マスク補助具２０は、スポンジ材４０を備える。スポンジ材４０は、具体的には、例えば、ポリオレフィン、ポリウレタン等からなる独立気泡の発泡体で形成されることが好ましい。
【００２４】
スポンジ材４０は、シート材３０とマスク本体１１との間に配置される。スポンジ材４０は、シート材３０の前面３１において、開口部５０における周縁部５５に設けられている。具体的には、スポンジ材４０は、開口部５０における周縁部５５の少なくとも上縁部５５ａに沿って設けられており、シート材３０の前面３１とマスク本体１１の後面１２とを接続する。
【００２５】
本実施形態では、スポンジ材４０は、開口部５０における周縁部５５の全周に沿って設けられている。スポンジ材４０は、開口部５０の略長方形状に対応した略角筒状である。スポンジ材４０の内周部４３は、主開口部５１の略円形状及び各副開口部５４の略楕円形状に一部追従している。
【００２６】
スポンジ材４０は、シート材３０の前面３１に接着材４１によって接着されるとともに、マスク本体１１の後面１２に接着材４２によって接着される。接着材４１，４２は、例えば両面テープで構成される。
【００２７】
スポンジ材４０の前後方向における厚みＴは、特にその中心部分において、３ｍｍ以上であることが好ましく、５ｍｍ以上であることがより好ましく、１０ｍｍ以上であることがさらに好ましい。
【００２８】
図４に示すように、本実施形態に係るマスク補助具２０は、マスク１０の着用時において、スポンジ材４０を鼻孔部３ａよりも下側に位置付けることを可能に構成されている。具体的には、マスク補助具２０をマスク本体１１に対して下側にずらして装着したり、マスク補助具２０をマスク本体１１に装着した状態で全体を顔面１に対して下側にずらしたりすることによって、スポンジ材４０の上側部分４４を鼻孔部３ａよりも下側に位置付けることが可能である。なお、図４では、マスク補助具２０をマスク本体１１に対して下側にずらして装着した場合を例示するが、マスク補助具２０をマスク本体１１に装着した状態で全体を顔面１に対して下側にずらしてもよい。
【００２９】
図２に示すように、マスク１０の着用時において、スポンジ材４０の前後方向における厚みＴによって、シート材３０とマスク本体１１との間に、通気路Ｓが形成される。通気路Ｓは、シート材３０における開口部５０に臨んでおり、開口部５０を介して吐出された呼気Ｅを前方へ通す。
【００３０】
上述したように、シート材３０の後面３２と顔面１との間には僅かな隙間が形成されるので、口部２及び鼻孔部３ａから吐出された呼気Ｅの一部は、当該僅かな隙間を通って上方へ抜けようとする。このような呼気Ｅの上方への流れは、眼鏡５を曇らせる原因となるので、これを抑制する必要がある。
【００３１】
本実施形態によれば、スポンジ材４０の前後方向における厚みＴによりシート材３０とマスク本体１１との間に通気路Ｓが形成されている。また、通気路Ｓの通気方向に垂直な断面積は、シート材３０と顔面１との隙間の通気方向に垂直な断面積よりも、圧倒的に大きい。そのため、口部２及び鼻孔部３ａから開口部５０を介して吐出された呼気Ｅが通気路Ｓを通ってマスク本体１１の前方に抜ける空気抵抗は、シート材３０と顔面１との僅かな隙間を通って上方へ抜ける空気抵抗に比べて非常に小さい。
【００３２】
その結果、口部２及び鼻孔部３ａから吐出された呼気Ｅは、通気路Ｓを通ってマスク本体１１の外方に吐き出されるのが促される一方、シート材３０と顔面１との隙間を通って上方へ抜けるのが抑制される。すわなち、口部２及び鼻孔部３ａから吐出された呼気Ｅの大部分が通気路Ｓを通ってマスク本体１１の外方に吐き出されるため、シート材３０と顔面１との僅かな隙間を通って上方へ抜ける呼気Ｅにより眼鏡５が曇るのを抑制することができる。
【００３３】
なお、通気路Ｓを通ってマスク本体１１の外方に吐き出された呼気Ｅは、顔面１に装着された眼鏡５から離れる方向である前方へ抜けていき、眼鏡５まで到達することがほとんどない。このため、通気路Ｓを通ってマスク本体１１の外方に吐き出された呼気Ｅによって眼鏡５が曇ることはほとんどない。
【００３４】
また、呼気Ｅの一部が、スポンジ材４０を通って、シート材３０とマスク本体１１との間を上方へ抜けるのを抑制するために、スポンジ材４０は、マスク本体１１よりも通気性の小さい材料からなることが好ましく、通気性のほとんど無い材料からなることがより好ましい。
【００３５】
これにより、呼気Ｅの流れが一定方向に制御され、マスク１０の着用時における呼気Ｅによる眼鏡５の曇りを、さらに抑制することができる。
【００３６】
また、通気路Ｓが形成されることによって、口部２及び鼻孔部３ａに吸込まれる吸気の流れがスムースとなるので、マスク１０の着用時における息苦しさが緩和される。
【００３７】
スポンジ材４０が開口部５０における周縁部５５の全周に沿って設けられているので、通気路Ｓをより確実に形成することができる。
【００３８】
スポンジ材４０の前後方向における厚みＴを３ｍｍ以上にすることによって、シート材３０とマスク本体１１との間に、さらに確実に通気路Ｓを形成することができる。
【００３９】
ここで、図６は、比較例に係るマスク補助具１２０を示す。このマスク補助具１２０は、シート材３０を備えておらず、マスク１０の着用時において、スポンジ材１４０が直接顔面１に接するように構成されている。
【００４０】
この場合、仮にスポンジ材１４０が鼻孔部３ａよりも下側に位置付けられると、鼻孔部３ａから吐出された呼気Ｅは、スポンジ材１４０の上側において、マスク本体１１と顔面１との間を上方へ抜けてしまう。
【００４１】
すなわち、鼻孔部３ａから吐出された呼気Ｅによる眼鏡５の曇りを抑制するためには、マスク１０の着用時において、図６に示すように鼻孔部３ａよりも上側において鼻部３（より詳細には鼻根から鼻尖に至る部分）を押さえるスポンジ材１５０を別途設けるか、スポンジ材１４０の上側部分１４４を鼻孔部３ａよりも上側に位置付けて鼻部３を押さえる必要がある。しかし、鼻孔部３ａよりも上側に位置するスポンジ材１４０，１５０によって鼻部３を押さえると、鼻腔が圧迫されて息苦しくなる。
【００４２】
本実施形態によれば、スポンジ材４０と顔面１との間に、シート材３０が介在している。これにより、マスク１０の着用時において、息苦しさを緩和するためにスポンジ材４０を鼻孔部３ａよりも下側に位置付けたとしても、鼻孔部３ａから吐出される呼気Ｅは、図４に示すように、シート材３０に案内されて下方に流れ、開口部５０を介して通気路Ｓへ吐出される。すなわち、マスク１０の着用時において、眼鏡５の曇りの抑制と、息苦しさの緩和とを、両立することができる。
【００４３】
シート材３０の一部である鼻下対面部３９が鼻下部４に面するので、例えば不織布や織布等からなるマスク本体１１が鼻下部４に接することが抑制される。これにより、マスク本体１１が鼻下部４に接することにより生じる不快感を、緩和することができる。
【００４４】
主開口部５１の他に副開口部５４を設けることによって、口部２及び鼻孔部３ａへの吸気の流れがスムースになる。
【００４５】
使い捨てマスク１０のみを交換することによって、１つのマスク補助具２０を何度も使用することができるので、コスト面で有利である。
【００４６】
マスク補助具２０とマスク本体１１との上下方向の位置関係を調整することによって、スポンジ材４０を鼻孔部３ａに対して、息苦しさを緩和するのに好適な位置に、簡単に位置付けることができる。
【００４７】
以上、本発明を好適な実施形態により説明してきたが、こうした記述は限定事項ではなく、勿論、種々の改変が可能である。
【００４８】
上に例示した本実施形態では、スポンジ材４０は、開口部５０における周縁部５５の全周に沿って設けられるが、これに限定されない。例えば、図５に示すように、スポンジ材４０は、シート材３０の前面３１において、開口部５０の周縁部５５における上縁部５５ａ及び左右両側縁部の上半部５５ｂのみに沿って設けられてもよい。すなわち、スポンジ材４０は、例えば下方に開放された略コ字状、略Ｕ字状又は略Ｖ字状等に形成されてもよい。この場合、図５に示すように、開口部５０を介して通気路Ｓに吐出された呼気Ｅの一部は、シート材３０とマスク本体１１との間を、下方乃至横方へ抜けることがある。
【００４９】
なお、スポンジ材４０は、必ずしも、開口部５０の周縁部５５における左右両側縁部の上半部５５ｂに沿って設けられる必要はない。図示しないが、スポンジ材４０は、開口部５０の周縁部５５における上縁部５５ａのみに沿って設けられてもよい。
【００５０】
本実施形態では、開口部５０及び通気路Ｓは、口部２及び鼻孔部３ａから吐出された呼気Ｅを通すが、これに限定されない。開口部５０及び通気路Ｓは、口部２から吐出された呼気Ｅを通さずに、鼻孔部３ａから吐出された呼気Ｅのみを通してもよい。眼鏡５の曇りは主に鼻孔部３ａから吐出された呼気Ｅによって発生するため、鼻孔部３ａから吐出された呼気Ｅがシート材３０と顔面１との隙間から上方へ抜けることを抑制するだけでも、眼鏡５の曇りを十分に抑制することができる。
【００５１】
マスク１０の着用時において、スポンジ材４０を鼻孔部３ａよりも下側に位置付けることが不可能でもよい。
【００５２】
開口部５０の形状は、略長方形状（略四角形状）に限定されず、例えば略三角形状、略五角形状等の略多角形状、略円形状、略楕円形状、等でもよい。また、開口部５０は、本実施形態のように複数の開口部で構成されるのではなく、１つの開口部のみで構成されてもよい。また、開口部５０は、本実施形態のようにシート材３０の中央部を貫通した貫通孔に限定されず、例えばシート材３０の下部に形成された切り欠きでもよい。
【００５３】
シート材３０と顔面１との間には、例えばガーゼ等が介在してもよい。すなわち、シート材３０は、顔面１に直接的に接する必要はなく、介在物を介して顔面１に関接的に接してもよい。
【００５４】
本実施形態では、スポンジ材４０として、独立気泡の発泡体を例示したが、これに限定されず、連続気泡の発泡体でもよい。
【００５５】
シート材３０の前面３１におけるスポンジ材４０を貼着する位置を、インキでマークした後、当該マークした部分に、離型剤を印刷してもよい。これにより、スポンジ材４０をシート材３０から取り外す際に、両面テープ（接着材）４１を、容易に剥がすことができる。
【００５６】
シート材３０は、吸水紙からなるのでもよい。これにより、夏等の汗を掻く時期でも、マスク補助具２０を、より快適に装着することができる。
【００５７】
シート材３０の上縁部３６をマスク本体１１のノーズフィット１４よりもやや（５ｍｍ程度）下側に位置付けるとともに、片面粘着剤付きシート（図示せず）を、シート材３０の上縁部３６とマスク本体１１のノーズフィット１４とにオーバラップするように、後側から貼着してもよい。これにより、特に下を向いて息をした場合における呼気Ｅによる眼鏡５の曇りをさらに抑制することができる。
【００５８】
切込線３３をミシン目線としてもよい。同様に、ミシン目線３４，３５を切込線としてもよい。
【００５９】
マスク補助具２０は、市販のマスク本体１１に装着するための付属品としてだけでなく、マスク本体１１に装着した状態で販売される完成品として、適用してもよい。
【００６０】
本実施形態では、マスク１０として、市販の家庭用の使い捨てマスクを例示したが、これに限定されない。マスク１０は、例えば、手造りマスク、ファッションマスク、不織布マスク、織布マスク（布マスク）、医療用マスク、衛生マスク、等、種々のマスクに適用することができる。
【産業上の利用可能性】
【００６１】
本発明は、マスク補助具に適用できるので、極めて有用であり、産業上の利用可能性が高い。
【符号の説明】
【００６２】
Ｅ      呼気
Ｓ      通気路
Ｔ      厚み
１      顔面
２      口部
３ａ    鼻孔部
５      眼鏡
１０    マスク
１１    マスク本体
１２    後面
２０    マスク補助具
３０    シート材
３１    前面
３２    後面
４０    スポンジ材
５０    開口部
５５    周縁部
５５ａ  上縁部
５５ｂ  左右両側縁部の上半部
【要約】
【課題】マスク着用時における呼気による眼鏡の曇りをさらに抑制する。
【解決手段】マスク補助具２０は、マスク本体１１の後面１２に装着される。マスク補助具２０は、マスク本体１１と顔面１との間に配置され、顔面１に接するシート材３０と、シート材３０とマスク本体１１との間に配置されるスポンジ材４０と、を備える。シート材３０には、少なくとも鼻孔部３ａから吐出された呼気Ｅを通す開口部５０が設けられている。スポンジ材４０は、開口部５０における周縁部５５の少なくとも上縁部５５ａに沿って設けられている。マスク１０の着用時において、スポンジ材４０の前後方向における厚みＴによって、シート材３０とマスク本体１１との間に、開口部５０を介して吐出された呼気Ｅを前方へ通す通気路Ｓが形成される。
【選択図】図２【図１】
0006843456.tif 000002
【図２】
0006843456.tif 000003
【図３】
0006843456.tif 000004
【図４】
0006843456.tif 000005
【図５】
0006843456.tif 000006
【図６】
0006843456.tif 000007